(57)【要約】  【課題】  簡単な構成で、トレイの影響を受けないようにしてトラバースメカの組立及び分解，メンテナンス時の作業性を向上させたディスク装置を提供する。  【解決手段】トラバースメカの昇降の方向及びピックアップユニットの移動方向に対して略直交する方向に移動できるようにシャーシに設けられたカムスライダーと、そのカムスライダーとのカム係合によりトラバースメカを昇降させるようにそのトラバースメカに設けられたシフトレバーとを備え、トラバースメカをシャーシの下側より該シャーシにビス止め可能とした。【選択図】      図５
2006351079.tif 000002
【特許請求の範囲】
【請求項１】
装置本体に固定のシャーシと、モータの駆動により複数のギヤを介して前記シャーシに
対して所定方向に昇降可能なトラバースメカと、光ピックアップを有するとともに前記ト
ラバースメカに設けられて前記モータの駆動により前記トラバースメカの昇降方向に略直
交する方向に移動可能なピックアップユニットとを備えたディスク装置であって、
前記トラバースメカの昇降の方向及び前記ピックアップユニットの移動方向に対して略
直交する方向に移動できるように前記シャーシに設けられたカムスライダーと、前記カム
スライダーとのカム係合により前記トラバースメカを昇降させるように前記トラバースメ
カに設けられたシフトレバーとを備えたディスク装置において、
前記トラバースメカを前記シャーシの下側より該シャーシにビス止め可能として、前記
トラバースメカにディスクを搬送するトレイのスライド位置に影響されずに前記トラバー
スメカを取り外しできるようにするとともに、
前記シャーシに設けた板バネ部先端の突起部が前記カムスライダーに設けた凹部に嵌合
することにより、該カムスライダーが所定のスライド位置で仮止めされ、その仮止め位置
において前記カムスライダーに設けたカム溝の下端開放部と前記シャーシに設けた縦溝と
が連通し、前記シフトレバーより突設するボスがその連通部から前記カム溝に挿入される
ようにしてなり、
更に前記カムスライダーを移動させることにより、前記板バネ部先端の突起部が突出し
て該カムスライダーの端部に当接可能となるようにしたことを特徴とするディスク装置。
【請求項２】
装置本体に固定のシャーシと、モータの駆動により複数のギヤを介して前記シャーシに
対して所定方向に昇降可能なトラバースメカと、光ピックアップを有するとともに前記ト
ラバースメカに設けられて前記モータの駆動により前記トラバースメカの昇降方向に略直
交する方向に移動可能なピックアップユニットとを備えたディスク装置であって、
前記トラバースメカの昇降の方向及び前記ピックアップユニットの移動方向に対して略
直交する方向に移動できるように前記シャーシに設けられたカムスライダーと、前記カム
スライダーとのカム係合により前記トラバースメカを昇降させるように前記トラバースメ
カに設けられたシフトレバーとを備えたディスク装置において、
前記トラバースメカを前記シャーシの下側より該シャーシにビス止め可能としたことを
特徴とするディスク装置。
【請求項３】
前記シャーシに設けた板バネ部先端の突起部が前記カムスライダーに設けた凹部に嵌合
することにより、該カムスライダーが所定のスライド位置で仮止めされ、その仮止め位置
において前記カムスライダーに設けたカム溝の下端開放部と前記シャーシに設けた縦溝と
が連通し、前記シフトレバーより突設するボスがその連通部から前記カム溝に挿入される
ようにしたことを特徴とする請求項２に記載のディスク装置。
【発明の詳細な説明】
【技術分野】
【０００１】
本発明は、ＣＤ，ＤＶＤ等のディスクに対して記録或いは再生を行うディスク装置に関
するものであり、特に、トラバースメカの組み付け構造に関するものである。
【背景技術】
【０００２】
従来より、ディスク装置として、ディスクを載置したディスクトレイを本体内に移動さ
せ、本体内に設けたディスクホルダ（クランパー）とターンテーブルとの間にディスクを
クランプして、ディスクに対して記録或いは再生を行うようにしたものが知られている。
さらに近年、組立時等における作業性改善を図ったものが、種々提案されてきている。
【０００３】
例えば、オープン状態でのトレイの強度を維持しながら、組立時及び不良による解体作
業時の作業性を向上させることが可能なディスク装置が、特許文献１に開示されている。
具体的には、トレイ収納方向端部の中央部に、実質的にＵ字状の切り欠き部が設けられて
いるとともに、Ｕ字状の切り欠き部のコーナー部には、トラバースの取り付け部に対応す
る円弧状の逃がし部が２個所設けられている構成としている。
【０００４】
また、メカニズムデッキの取り付け作業性を改善するとともに、外部から衝撃が加わっ
てもメカニズムデッキを正しく昇降させるとしたディスク記録又は再生装置が、特許文献
２に開示されている。具体的には、ターンテーブルを具えてスライド体に連繋して昇降す
るメカニズムデッキは、ターンテーブルが取り付けられたサブシャーシと、スライド体に
嵌合しサブシャーシを支持する枠体を具えており、シャーシには、シャーシの斜め上方か
ら挿入されてスライド体に嵌合した枠体を上下に揺動可能に支持する保持機構が設けられ
た構成としている。
【０００５】
また、多種類の光ディスク装置を生産するに際して、部品管理やユニット管理を簡略化
するとともに、ディスク装置の組立工程の生産性を高めるとした光ディスク装置が、特許
文献３に開示されている。具体的には、基本ユニットを単独で使用する第１使用状態と、
該基本ユニットと付加部品ユニットとを一体的に組み付けて使用する第２使用状態とで、
使用状態を択一的に選択して使用に供される構成としている。
【特許文献１】実用新案登録第３０８８１５９号公報
【特許文献２】特開２００３−１９６９５１号公報
【特許文献３】特開２００２−１７５６５９号公報
【発明の開示】
【発明が解決しようとする課題】
【０００６】
しかしながら、上記特許文献１に記載されているような構成においては、ターンテーブ
ルを昇降させるトラバースを、その四隅の取り付け部にてフレーム或いは昇降部材にビス
止めする構造であり、全て上方向からの組み付けとなっているため、問題が生じるおそれ
がある。
【０００７】
つまり、例えばディスクのトレイを駆動するギヤの噛み合い不良等が生じて、トレイを
スライドさせることができなくなった場合は、トラバースの取り付け部にトレイが覆いか
ぶさっているので、このままではビスを取り外せず、分解，メンテナンスが容易ではなく
なる。また、トレイにビス取り外しのためのドライバー用逃げ孔を開ける方法も考えられ
るが、製品の美観上、後部にしか設けられないので、実用的ではない。
【０００８】
また、上記特許文献２或いは特許文献３に記載されているような構成のものは、いずれ
もトレイの影響を考慮して組立，メンテナンス等の作業性改善を図ったものではなかった
。本発明は、このような問題点に鑑み、簡単な構成で、トレイの影響を受けないようにし
てトラバースメカの組立及び分解，メンテナンス時の作業性を向上させたディスク装置を
提供することを目的とする。
【課題を解決するための手段】
【０００９】
上記目的を達成するために、本発明では、装置本体に固定のシャーシと、モータの駆動
により複数のギヤを介して前記シャーシに対して所定方向に昇降可能なトラバースメカと
、光ピックアップを有するとともに前記トラバースメカに設けられて前記モータの駆動に
より前記トラバースメカの昇降方向に略直交する方向に移動可能なピックアップユニット
とを備えたディスク装置であって、前記トラバースメカの昇降の方向及び前記ピックアッ
プユニットの移動方向に対して略直交する方向に移動できるように前記シャーシに設けら
れたカムスライダーと、前記カムスライダーとのカム係合により前記トラバースメカを昇
降させるように前記トラバースメカに設けられたシフトレバーとを備えたディスク装置に
おいて、前記トラバースメカを前記シャーシの下側より該シャーシにビス止め可能とした
ことを特徴とする。
【００１０】
また、前記シャーシに設けた板バネ部先端の突起部が前記カムスライダーに設けた凹部
に嵌合することにより、該カムスライダーが所定のスライド位置で仮止めされ、その仮止
め位置において前記カムスライダーに設けたカム溝の下端開放部と前記シャーシに設けた
縦溝とが連通し、前記シフトレバーより突設するボスがその連通部から前記カム溝に挿入
されるようにしたことを特徴とする。
【発明の効果】
【００１１】
本発明によれば、簡単な構成で、トレイの影響を受けないようにしてトラバースメカの
組立及び分解，メンテナンス時の作業性を向上させたディスク装置を提供することができ
る。
【００１２】
具体的には、準備工程でトラバースメカにシフトレバーを取り付けてアッセンブリ化し
、本工程ではそのトラバースメカをローダーシャーシの下側より取り付ける構成とするこ
とにより、作業性改善が可能となる。
【００１３】
また、ディスクのトレイを駆動するギヤの噛み合い不良等が生じて、トレイをスライド
させることができなくなった場合でも、トレイに影響されることなくトラバースメカをロ
ーダーシャーシの下側から取り外せるので、分解，メンテナンスが容易となる。
【発明を実施するための最良の形態】
【００１４】
以下、本発明の実施の形態について、図面を参照しながら説明する。
【実施例１】
【００１５】
図１は、本発明の実施例１に係るディスク装置のディスクローダーを示す図であり、ま
た図２は、同じディスク装置の主としてトラバースメカを示す図であって、それぞれ平面
図としている。このディスク装置は、ディスクを搬送するトレイ（不図示）と、トレイの
搬送方向（前後方向）に略垂直な方向に旋回して昇降可能なトラバースメカ２とがローダ
ーシャーシ１に設けられている。なお、ローダーシャーシ１は図示しない装置本体に固定
されている。
【００１６】
トラバースメカ２にはディスクの記録または再生を行う光ピックアップを有したピック
アップユニット３と、ピックアップユニット３をディスクの径方向に移動させるモータ４
とが設けられている。モータ４には複数の平ギヤから成る伝達手段５が取り付けられてお
り、モータ４の駆動力を減速して伝達する。伝達手段５がピックアップユニット３に形成
されたラック（不図示）と噛合することにより、モータ４によってピックアップユニット
３が移動できるようになっている。
【００１７】
また、伝達手段５は前方のトレイギア８と噛合し、トレイギア８はトラバースメカ２の
前方でローダーシャーシ１側に配されたカムスライダー６と噛合可能になっている。カム
スライダー６は、トラバースメカ２の前部に設けられたシフトレバー７とカム係合し、ト
レイの搬送方向（前後方向）及びトラバースメカ２の昇降方向と略直交する方向（左右方
向）に移動できる。これにより、トラバースメカ２が昇降する。更に、トレイギア８はト
レイに形成されたラックと噛合可能になっており、所定の時期にトレイギア８とトレイと
が連結して、モータ４の駆動力がトレイに伝達されるようになっている。
【００１８】
上記構成のディスク装置において、トレイにディスクが載置されると、モータ４の駆動
によりトレイがディスクローダー内に搬送される。トレイが所定位置に配されると、トレ
イとトレイギア８との連結が解除され、カムスライダー６とトレイギア８とが連結される
。カムスライダー６はトレイの搬送方向に垂直な方向（左右方向）に移動し、トラバース
メカ２を上昇させる。これにより、トラバースメカ２がディスクに係合してディスクがチ
ャックされる。
【００１９】
ディスクのチャック部を具体的に説明すると、ローダーシャーシ１の上側に左右方向に
渡って略長板状のクランパーホルダー９が架設されており、その中央には略円板状のクラ
ンパー１０が回転自在に設けられている。一方、図示しないスピンドルモータにより回転
駆動されるターンテーブル１１が、トラバースメカ２から上方に突設している。上述した
ディスクのチャック時には、トラバースメカ２が上昇することによりディスクの中心孔が
ターンテーブル１１に嵌合し、更にトラバースメカ２が上昇することによりディスクがタ
ーンテーブル１１とクランパー１０との間に挟み込まれる。
【００２０】
ディスクがチャックされると、トレイギア８とカムスライダー６との連結が解除され、
伝達手段５はピックアップユニット３と連結される。これにより、ピックアップユニット
３がディスクの径方向へ移動可能になり、ディスクの所定位置で記録または再生を行うこ
とができる。また、ディスクを取り出す際には上記と逆の動作が行われる。以下に、本発
明のディスク装置の組立手順を説明する。
【００２１】
まず、準備工程として、図３に示すように、トラバースメカ２の前部下側に、シフトレ
バー７を取り付ける。具体的には、トラバースメカ２の前部で左右計２個所の取付部に、
ダンパー１３を介してビス１２を上側から挿入し、下側のシフトレバー７を螺合により固
定する。このとき、右側の取付部では伝達手段５前部の平ギヤ５ａをトラバースメカ２と
シフトレバー７との間で挟み込むようになっている。なお、シフトレバー７から前方に、
長短計２本のボス７ａ，７ｂが突設している。
【００２２】
次に、図４に示すように、ローダーシャーシ１にカムスライダー６を組み付ける。具体
的には、ローダーシャーシ１前部の左右に連設されるスリット１ａ，１ｂに、カムスライ
ダー６の左右端より下側に突設する側面視略Ｌ字状の係合部６ａ，６ｂをそれぞれ係合さ
せる。そして、図５に示すように、カムスライダー６をスリット１ａ，１ｂに沿って右側
に移動させると、図６に示すように、スリット１ａの左後ろ側に設けた板バネ部１ｃ先端
の突起部１ｃａが、カムスライダー６の下面に設けた凹部６ｃに嵌合し、この位置でカム
スライダー６が仮止めされる。但し、同図では突起部１ｃａ及び凹部６ｃを、カムスライ
ダー６の表面より透視した状態で描いてある。
【００２３】
ここで図７は、カムスライダー６の外観図であり、同図（ａ）は下面図、同図（ｂ）は
背面図、同図（ｃ）は平面図、同図（ｄ）は正面図である。なお、側面図は図示を省略し
ている。同図（ａ）に示すように、カムスライダー６の下面左側には凹部６ｃが設けてあ
り、これに上記板バネ部１ｃ先端の突起部１ｃａが嵌合する。また、同図（ｂ）に示すよ
うに、トラバースメカ２昇降用のカム溝６ｄ，６ｅが設けてあり、それぞれシフトレバー
７のボス７ａ，７ｂと係合する。カム溝６ｄは、同図（ｄ）より分かるように、貫通孔と
なっており、一方、カム溝６ｅは有底のものとなっている。なお、６ｆはトレイギア８と
噛合するラック部である。
【００２４】
図５に戻って、カムスライダー６が上述のように仮止めされた状態で、トラバースメカ
２をローダーシャーシ１の下側より組み付ける。このとき、カム溝６ｄの右下端開放部と
スリット１ａの右後ろ側に設けた縦溝１ｄとが連通する位置関係となっているので、シフ
トレバー７のボス７ａがこの連通部からカム溝６ｄにスムーズに挿入され、トラバースメ
カ２がローダーシャーシ１に容易に取り付けられる。
【００２５】
続いて、同図に示すように、トラバースメカ２の後部で左右計２個所の取付部に、ダン
パー１３を介してビス１２を下側から挿入し、トラバースメカ２を螺合によりローダーシ
ャーシ１に固定する。最後に、図８に示すように、カムスライダー６の上記仮止めを外し
つつ、これをスリット１ａ，１ｂに沿って更に右側に移動させると、板バネ部１ｃ先端の
突起部１ｃａが突出し、カムスライダー６の左端に当接するストッパーとなる。この状態
で、カムスライダー６が完全にローダーシャーシ１に取り付けられる。
【００２６】
以上のようにして、準備工程でトラバースメカにシフトレバーを取り付けてアッセンブ
リ化し、本工程ではそのトラバースメカをローダーシャーシの下側より取り付ける構成と
することにより、作業性改善が可能となる。また、ディスクのトレイを駆動するギヤの噛
み合い不良等が生じて、トレイをスライドさせることができなくなった場合でも、トレイ
に影響されることなくトラバースメカをローダーシャーシの下側から取り外せるので、分
解，メンテナンスが容易となる。
【図面の簡単な説明】
【００２７】
【図１】本発明の実施例１に係るディスク装置のディスクローダーを示す図。
【図２】ディスク装置の主としてトラバースメカを示す図。
【図３】トラバースメカにシフトレバーを取り付ける工程を示す上側斜視図
【図４】ローダーシャーシにカムスライダーを組み付ける工程を示す上側斜視図。
【図５】トラバースメカをローダーシャーシに組み付ける工程を示す下側斜視図。
【図６】カムスライダーが仮止めされされた状態を示す上側斜視図。
【図７】カムスライダーの外観図。
【図８】カムスライダーがローダーシャーシに取り付けられた状態を示す上側斜視図。
【符号の説明】
【００２８】
１    ローダーシャーシ
２    トラバースメカ
３    ピックアップユニット
４    モータ
５    伝達手段
６    カムスライダー
７    シフトレバー
８    トレイギア
９    クランパーホルダー
１０    クランパー
１１    ターンテーブル
１２    ビス
１３    ダンパー
【図１】
2006351079.tif 000003
【図２】
2006351079.tif 000004
【図３】
2006351079.tif 000005
【図４】
2006351079.tif 000006
【図５】
2006351079.tif 000007
【図６】
2006351079.tif 000008
【図７】
2006351079.tif 000009
【図８】
2006351079.tif 000010